(57)【特許請求の範囲】
【請求項１】
磁気カードを搬送路に導くカード挿入口と、当該カード挿入口から挿入される磁気カードの磁気情報を読み取るプリヘッドと、当該プリヘッドにより読み取った磁気情報の適否により搬送路の開閉を行うシャッタとを有し、それらが磁気カード搬送方向に順次設けられているフロント構成部と、
前記シャッタを通過した磁気カードに最初に接触するフロント搬送ローラが取り付けられ、当該フロント搬送ローラで搬送された磁気カードに読み書きを行う本体構成部と、を少なくとも備えたカード処理装置において、
前記フロント構成部と前記本体構成部とが接続される境界面を有し、当該境界面近傍には前記シャッタ及び前記フロント搬送ローラが取り付けられ、
前記フロント搬送ローラが、前記境界面から前記フロント構成部側に突出するように設けられており、
前記本体構成部の前記境界面は、前記フロント搬送ローラを突出させる開口部を有し、前記フロント構成部は、突出している前記フロント搬送ローラに対応した逃げ部を有し、
前記磁気カードの幅寸法の適否を検査するカード幅センサが、前記カード挿入口と前記シャッタとの間に設けられており、
前記フロント搬送ローラの下部には、前記シャッタを上下に移動させる駆動部が設けられていることを特徴とするカード処理装置。
【請求項２】
前記カード挿入口の入口端面から、前記磁気カードが接触するフロント搬送ローラの接触面までの距離が、前記磁気カードの長さのほぼ半分である、請求項１に記載のカード処理装置。
【請求項３】
前記フロント搬送ローラに対向した位置であって前記駆動部の上側には前記境界面から前記フロント構成部側に突出する位置に、フロント従動ローラがさらに設けられ、
前記本体構成部の前記境界面は、前記フロント従動ローラを突出させる開口部を有し、前記フロント構成部は、突出している前記フロント従動ローラに対応した逃げ部を有している、請求項１又は２に記載のカード処理装置。
【請求項４】
前記駆動部は、ソレノイドと、前記ソレノイドの駆動によって水平移動を行うプランジャピンと、前記プランジャピンの水平移動を回動運動に変換するリンクプレートと、前記リンクプレート上に設けられて前記リンクプレートの回動運動によって上下に移動する上下ピンとからなり、
前記上下ピンは、前記シャッタに設けられたスライド穴に挿入されている、請求項１〜３のいずれか１項に記載のカード処理装置。
【発明の詳細な説明】
【技術分野】
【０００１】
本発明は、クレジットカード、プリペイドカード、キャッシュカード等の磁気カードを処理するカード処理装置に関し、更に詳しくは、利用者が処理後の磁気カードを抜き取り易いように、磁気カードを長く突出させることができるカード処理装置に関するものである。
【背景技術】
【０００２】
従来から、クレジットカード、プリペイドカード、キャッシュカード等、多種のカードが用いられている。これらのカードの中には、カードの表面に磁性体を塗布した磁気ストライプを設けて、その磁気ストライプに各種の情報を記録した磁気カードが存在する。磁気カードには、種類や用途に応じて、磁気ストライプの位置、幅、長さ、記録書式等が異なっているものが多種存在し、これら磁気カードの種類や用途毎にカード処理装置が存在する。
【０００３】
特定用途のカード処理装置に、種類や用途が異なる非対応のカードを挿入すると、カード処理装置内にカードが詰まったり、処理動作を行うことができずにエラーを生じたりする等の不具合が発生する。このような不具合の発生を未然に防止するためのカード処理装置として、挿入する磁気カードの幅寸法の適否を検査するカード幅センサと、挿入する磁気カードの磁気情報を読み取って処理可能なカードであるか否かを判断するプリヘッドと、プリヘッドにより読み取った磁気情報の適否により搬送路の開閉を行うシャッタとを備えたカード処理装置が知られている（例えば特許文献１を参照。）。
【０００４】
こうしたカード処理装置において、カード処理装置内への磁気カードの取込動作は、通常、利用者がカード挿入口から磁気カードを挿入して、カード幅センサが処理対象の磁気カードであることを検出し、プリヘッドが処理対象の磁気カードであることを読み取った場合には、シャッタを開いてフロント搬送ローラをはじめとする複数の搬送ローラを回転させ、磁気カードをカード処理装置内に搬送して、犯罪防止のために再度シャッタを閉じる動作を行う。そして、磁気カードを用いた現金の支払、預け入れ、振り込み等のカード処理が終了した場合には、取り込んだ磁気カードを利用者に返却するために、シャッタを開けて搬送ローラを逆方向に回転させて、磁気カードの挿入口から磁気カードの手前側後端を飛び出させた状態で搬送ローラを一時停止させる。そして、利用者に磁気カードの抜き取りを指示する。
【０００５】
このとき、飛び出して停止している磁気カードの奥側先端部分は、カード処理装置の本体構成部内に配置されたフロント搬送ローラが挟持しており、所定の時間が経過しても利用者が磁気カードを抜き取らない場合には、利用者が磁気カードを抜き忘れたと判断して、そのフロント搬送ローラが逆回転して再度磁気カードをカード処理装置内に搬送してシャッタを閉じ、専用のスタッカに格納する。
【特許文献１】特開２００１−６７５１４号公報（第１図）
【発明の開示】
【発明が解決しようとする課題】
【０００６】
しかしながら、上記のように構成されたカード処理装置では、カード挿入口から、磁気カードが最初に接触するフロント搬送ローラまでの間に、カード幅センサ、プリヘッド、シャッタ機構等が存在するために、磁気カード排出時における磁気カードの排出長さを十分に確保することができず、利用者によっては、磁気カードを容易に掴み取ることができないことがあった。
【０００７】
具体的には、従来の磁気カードの排出長さは、約８５ｍｍの長さの一般的な磁気カードを処理するカード処理装置の場合、２３〜３３ｍｍ程度であった。健常者にとっては、この程度の排出長さであっても磁気カードを引き抜くことに何ら支障はないが、高齢者や手先の不自由な利用者にとっては、十分な長さではなく、磁気カードをうまく掴むことができないことがあった。
【０００８】
本発明は、上記課題を解決するためになされたものであって、その目的は、高齢者、手先の不自由な利用者、ＡＴＭに慣れていない利用者等であっても、磁気カードの抜き取りを容易に行うことができるカード処理装置を提供することにある。
【課題を解決するための手段】
【０００９】
上記課題を解決するための本発明のカード処理装置は、磁気カードを搬送路に導くカード挿入口と、当該カード挿入口から挿入される磁気カードの磁気情報を読み取るプリヘッドと、当該プリヘッドにより読み取った磁気情報の適否により搬送路の開閉を行うシャッタとを有し、それらが磁気カード搬送方向に順次設けられているフロント構成部と、前記シャッタを通過した磁気カードに最初に接触するフロント搬送ローラが取り付けられ、当該フロント搬送ローラで搬送された磁気カードに読み書きを行う本体構成部と、を少なくとも備えたカード処理装置において、前記フロント構成部と前記本体構成部とが接続される境界面を有し、当該境界面近傍には前記シャッタ及び前記フロント搬送ローラが取り付けられ、前記フロント搬送ローラが、前記境界面から前記フロント構成部側に突出するように設けられていることを特徴とする。
【００１０】
この発明によれば、フロント構成部と本体構成部とを少なくとも備えたカード処理装置において、本体構成部内のフロント搬送ローラを、フロント構成部と本体構成部との境界面からフロント構成部側に突出させるようにしたので、カード挿入口とフロント搬送ローラとの距離を短くすることができる。その結果、磁気カードの排出長さをカード長の１／２程度確保することが可能になるので、高齢者、手先の不自由な利用者、ＡＴＭに慣れていない利用者等であっても、磁気カードの抜き取りを容易に行うことができる。
【００１１】
本発明のカード処理装置においては、前記本体構成部の前記境界面は、前記フロント搬送ローラを突出させる開口部を有し、前記フロント構成部は、突出している前記フロント搬送ローラに対応した逃げ部を有することを特徴とする。
【００１２】
この発明によれば、本体構成部のフロント構成部側境界面にはフロント搬送ローラを突出させる開口部を設け、フロント構成部には突出しているフロント搬送ローラに対応した逃げ部を設けたので、カード挿入口とフロント搬送ローラとの距離を短くすることができる。
【００１３】
本発明のカード処理装置においては、前記カード挿入口の入口端面から、前記磁気カードが接触するフロント搬送ローラの接触面までの距離が、前記磁気カードの長さのほぼ半分であることが好ましい。
【００１４】
この発明によれば、磁気カードの長さのほぼ半分程度がカード挿入口から排出していることになるので、高齢者、手先の不自由な利用者、ＡＴＭに慣れていない利用者等であっても、磁気カードの抜き取りを容易に行うことができる。
【００１５】
本発明のカード処理装置においては、前記磁気カードの幅寸法の適否を検査するカード幅センサが、前記カード挿入口と前記シャッタとの間に設けられていることが好ましい。
【００１６】
この発明によれば、フロント構成部と本体構成部とを少なくとも備えたカード処理装置において、フロント構成部がシャッタ、カード幅センサ及びプリヘッドを備えた場合であっても、フロント構成部内のカード挿入口から本体構成部内のフロント搬送ローラまでの距離を短くすることができる。
【発明の効果】
【００１７】
本発明によれば、フロント構成部と本体構成部とを少なくとも備えたカード処理装置において、フロント構成部がシャッタ、カード幅センサ及びプリヘッドを備えた場合であっても、フロント構成部内のカード挿入口から本体構成部内のフロント搬送ローラまでの距離を短くすることができる。その結果、約８５ｍｍの長さを有する磁気カードの排出長さを、その半分程度確保することができるので、高齢者、手先の不自由な利用者、ＡＴＭに慣れていない利用者等であっても、磁気カードの抜き取りを容易に行うことができる。
【発明を実施するための最良の形態】
【００１８】
以下、本発明のカード処理装置の実施形態について図面を参照しつつ説明する。
【００１９】
図１は、本発明のカード処理装置の一例を示す平面図であり、図２は、図１におけるＡ−Ａ’断面図である。なお、図１のフロント構成部１００付近は、図２に示すＢ−Ｂ’断面を用いて説明している。
【００２０】
カード処理装置１０は、利用者が、クレジットカード、プリペイドカード、キャッシュカード等の磁気カード８をカード挿入口１４に挿入すると、磁気カード８がカード処理装置１０内の搬送路１２に沿って搬送され、磁気カード８の磁気ストライプ６に記録されている各種の情報を読み取って、金銭の支払い、預け入れ、振り込み等の処理を行う機能を有する装置である。
【００２１】
一般に、カード処理装置は、多種類の磁気カードへの対応や、遠隔地の無人金銭引き出し機等、様々な用途に対応する必要がある。そこで、図１及び図２に示すカード処理装置１０は、様々な用途に対応したカード処理装置の部品交換等のメンテを簡易化するために、カード処理装置１０をフロント構成部１００と本体構成部１１とにユニット化し、カード幅センサ１１８、プリヘッド１２４及びシャッタ１５０を備えたフロント構成部１００を本体構成部１１に交換可能に取り付けた構成としている。なお、本発明のカード処理装置１０は、フロント構成部１００と本体構成部１１とが接続される境界面１３を有している。
【００２２】
フロント構成部１００は、図１及び図２に示すように、磁気カード８を搬送路１２に導くカード挿入口１４と、カード挿入口１４から挿入される磁気カード８の磁気ストライプ６に記録された磁気情報を読み取るプリヘッド１２４と、プリヘッド１２４により読み取った磁気情報の適否により搬送路１２の開閉を行うシャッタ１５０とを有し、それらが磁気カード搬送方向に順次設けられている。また、フロント構成部１００のカード挿入口１４とシャッタ１５０との間には、図１及び図２に示すように、磁気カード８の幅寸法の適否を検査するカード幅センサ１１８が設けられている。本願では、カード幅センサ１１８を、挿入する磁気カード８の幅方向の一方の側（図１においては上側）に設けているが、その設置位置は図示の例に限定されない。
【００２３】
一方、本体構成部１１の境界面１３近傍には、シャッタ１５０を通過した磁気カード８に最初に接触するフロント搬送ローラ１６ａが取り付けられている。この本体構成部１１では、フロント搬送ローラ１６ａで搬送された磁気カード８に読み書き等の各種の処理が行われる。
【００２４】
こうした本発明のカード処理装置１０は、本体構成部１１内のフロント搬送ローラ１６ａが、本体構成部１１の境界面１３から、フロント構成部１００側に突出するように設けられている。具体的な実施形態としては、図１及び図２に示すように、本体構成部１１の境界面１３には、フロント搬送ローラ１６ａを突出させる開口部１５が設けられ、フロント構成部１００には、境界面１３から突出しているフロント搬送ローラ１６ａに対応した逃げ部１０２が設けられている。なお、開口部１５及び逃げ部１０２は、少なくとも、境界面１３から突出しているフロント搬送ローラ１６ａに対応したものであるが、フロント搬送ローラ１６ａの対向ローラとして設けられているフロント従動ローラ１７ａに対応したものであってもよく、その場合には、開口部１５及び逃げ部１０２は、フロント搬送ローラ１６ａとフロント従動ローラ１７ａとに対応した大きさ及び形状で設けられる。
【００２５】
フロント構成部１００において、カード幅センサ１１８及びプリヘッド１２４は、シャッタ１５０より手前のカード挿入口１４側に配置されている。そして、カード幅センサ１１８及びプリヘッド１２４により、利用者によって挿入される磁気カード８がカード処理装置１０で処理可能な磁気カード８であると判断した場合にのみ、シャッタ１５０が開くように制御され、磁気カード８を本体構成部１１の搬送路１２に送ることができる。
【００２６】
カード幅センサ１１８は、カード処理装置１０のカード挿入口１４付近に設けられる。このカード幅センサ１１８は、当該カード処理装置１０で対応可能な幅の磁気カード８が利用者によってカード挿入口１４に挿入されたことを検出し、その検出信号は、図２に示す制御手段９８に伝達される。
【００２７】
プリヘッド１２４は、カード処理装置１０のカード挿入口１４付近に設けられる。このプリヘッド１２４は、挿入する磁気カード８の磁気ストライプ６に記録されている磁気情報を読み取る。読み取られた磁気情報は、ヘッドアンプ８８にて増幅され、イコライジング、フィルタリング等の処理が行われた後に、図２に示す制御手段９８又は外部の装置に出力される。
【００２８】
このフロント構成部１００においては、磁気カード８がカード挿入口１４から挿入された際に、磁気カード８がシャッタ１５０に突き当たることによって、引っ掛かり感等の違和感を利用者に与えないようにすることが要求されるが、そのために、カード幅センサ１１８とプリヘッド１２４とによって処理可能な磁気カード８であるか否かが判断されるのと同時にシャッタ１５０が開けられる。さらに、上記の判断と同時に、本体構成部１１内のフロント搬送ローラ１６ａを直ちに駆動する。これらの制御によって、磁気カード８の挿入操作に対して、スムーズに連続した磁気カード８の取込み動作を実現する。
【００２９】
したがって、プリヘッド１２４とシャッタ１５０との距離、及び、プリヘッド１２４とフロント搬送ローラ１６ａとの距離を極端に短くすることは得策でなく、ある程度の距離が必要である。
【００３０】
こうしたフロント構成部１００は、例えば図１にその一例を示すように、本体構成部１１の３つのサイドフレーム１０６それぞれに対して取付螺子１０８を用いて取り付けられている。なお、図１においては、その取付螺子１０８は、フロント構成部１００に設けられた３つの取付フランジ１０５とサイドフレーム１０６とを係止しているが、必ずしもこの形態に限定されず、例えばサイドフレーム１０６にフロント構成部１００のフック（図示しない）を引っ掛けて係止したものであってもよい。本体構成部１１の境界面１３には、磁気カード８を搬送するフロント搬送ローラ１６ａ及びフロント従動ローラ１７ａをフロント構成部１００側に突出させるための開口部１５が設けられている。
【００３１】
この開口部１５を本体構成部１１の境界面１３に設けることによって、カード挿入口１４と、フロント搬送ローラ１６ａ及びフロント従動ローラ１７ａとの間の距離を短く設定することができる。例えば、約８５ｍｍの長さを有する一般的な磁気カード８の排出長さを、カード長の約半分程度確保することができる。これにより、高齢者、手先の不自由な利用者、ＡＴＭに慣れていない利用者であっても、磁気カード８の抜き取りを容易に行うことができる。
【００３２】
本発明のカード処理装置１０は、フロント構成部１００と本体構成部１１とが接続される境界面１３を有し、その境界面１３近傍にはシャッタ１５０及びフロント搬送ローラ１６ａが取り付けられているものであれば、それ以外の構成については特に限定されない。本体構成部１１の一例としては、図１及び図２に示すように、挿入された磁気カード８を搬送路１２に沿って搬送するフロント搬送ローラ１６ａ、搬送ローラ１６ｂ、搬送ローラ１６ｃ、及びフロント従動ローラ１７ａ、従動ローラ１７ｃが設けられており、挿入された磁気カード８の存在位置を確認する複数のフォトセンサ１８と、磁気ストライプ６に記録されている各種の情報等の読み取り又は書き込みを行う磁気ヘッド２２と、磁気カード８の磁気ストライプ６部を磁気ヘッド２２に押し付ける対向ローラ２６と、対向ローラ２６を回転自在に保持するホルダ４０とが設けられている形態を挙げることができる。
【００３３】
図２に示すカード処理装置１０には、制御手段９８から入力した回転速度信号又は位置信号に基づいて、送りモータ３４の駆動信号を出力する送りドライバ８４と、送りドライバ８４から入力した駆動信号に基づいてタイミングベルト等の伝達手段を介してフロント搬送ローラ１６ａ、搬送ローラ１６ｂ、及び搬送ローラ１６ｃを回転させる送りモータ３４とが備えられており、制御手段９８の指令に基づいて磁気カード８の送りを制御することが可能となっている。
【００３４】
制御手段９８は、フロント搬送ローラ１６ａ、搬送ローラ１６ｂ、及び搬送ローラ１６ｃを回転させる信号を送りドライバ８４に出力することが可能となっている。フロント搬送ローラ１６ａ、搬送ローラ１６ｂ、及び搬送ローラ１６ｃは、磁気カード８と接触し、磁気カード８を搬送路１２に沿って搬入、排出をするための搬送を行うと共に、磁気ヘッド２２と磁気ストライプ６とを相対的に摺動させて磁気データの書き込み又は読み出しを行う。
【００３５】
磁気ヘッド２２の入出力端子は、ヘッドアンプ８８の入出力端子と接続されており、磁気カード８を搬送しながら記録信号を磁気ヘッド２２に出力することにより、各種の情報等を磁気ストライプ６に記録する。
【００３６】
また、磁気ヘッド２２が磁気データを読み取る場合には、制御手段９８が磁気カード８を搬送路１２に沿って搬送すると、磁気ストライプ６に記録されている各種の情報が磁気ヘッド２２から出力されるので、ヘッドアンプ８８はその情報を増幅し、イコライジング、フィルタリング等の処理を行った後に制御手段９８又は外部に出力する。
【００３７】
磁気ヘッド２２は、ヘッドブラケット６２に接着等により固定されている。ヘッドブラケット６２には、磁気ヘッド２２を所定の位置に定め、磁気ヘッド２２のギャップの傾斜角を磁気ストライプ６に記録されている磁極に合わせると共に、磁気ストライプ６面に対して垂直の方向に磁気ヘッド２２を変位自在に保持するためのピン孔６６，６８が設けられている。
【００３８】
ガイドピン７０，７２は、磁気ヘッド２２を所定の位置に定め、磁気ヘッド２２のギャップを所定の傾斜角に定めると共に、磁気ストライプ６面に対して垂直の方向に磁気ヘッド２２を変位自在に保持する機能を有する。ヘッドブラケット６２は、押圧バネ７６の付勢力によって磁気ヘッド２２を磁気カード８の方向に押圧している。なお、図２に示す例では、磁気ヘッド２２の垂直方向の変位を制限するストロークストッパ７８を設けてある。
【００３９】
次に、フロント構成部１００の構成を図３〜図８により詳しく説明する。
【００４０】
図３は、図２に示すカード処理装置１０の左側面図（Ｃ矢視図）である。図３に示すように、フロント構成部１００には、磁気カード８を挿入するカード挿入口１４が設けられている。そして、フロント構成部１００は、本体構成部１１のサイドフレームに取付螺子１０８によって交換可能に取り付けられている。
【００４１】
図４は、図２に示すカード処理装置１０のＤ矢視断面図である。図４に示すように、フロント構成部１００内にはプリヘッド１２４が設けられている。このプリヘッド１２４は、カード挿入口１４から挿入される磁気カード８が処理可能な磁気カードであるか否かの判断を行うために、挿入される磁気カード８の磁気ストライプ６に記録されている磁気情報を読み取る磁気ヘッドである。図４に示す例では、ＩＳＯ規格の磁気カード８に対応するために磁気カード８の下側に配置しているが、ＪＩＳ規格やその他の磁気カードに対応するために磁気カードの上側に設けてもよいし、磁気ストライプの仕様に応じて複数個設けるようにしてもよい。
【００４２】
また、図４に示すように、フロント構成部１００内には、挿入される磁気カード８の幅寸法の適否を検査するカード幅センサ１１８が設けられている。図４に示す例では、カード幅センサ１１８として、ローラタペット型のマイクロスイッチを用いているが、マイクロスイッチの代わりに光電センサ等の非接触型のセンサを用いてもよい。また、カード幅センサ１１８の数量も、センサの種類に応じて複数個設置してもよい。
【００４３】
図５及び図６は、図２に示すカード処理装置１０のＥ矢視断面図であり、図５はシャッタ１５０が開いて磁気カード８を通過させる状態を示し、図６はシャッタ１５０が閉じている状態を示している。図５及び図６に示すように、フロント構成部１００内にはシャッタ１５０が設けられており、このシャッタ１５０は、挿入された磁気カード８が当該カード処理装置１０で処理可能な磁気カード８でないと判断された場合に、搬送路１２を閉じた状態にして磁気カード８の挿入を阻止する。
【００４４】
シャッタ１５０の下部には、シャッタ１５０を上下駆動させるためのスライド穴１５２が設けられている。スライド穴１５２には、シャッタ１５０を上下駆動する上下ピン１３３が挿入されている。上下ピン１３３は、回動中心１３５を中心として回動運動を行うリンクプレート１３４から突出している。リンクプレート１３４は、ソレノイド１３０（図２参照）によって駆動されるプランジャピン１３２の水平移動により回動運動を行う。
【００４５】
図５及び図６に示すように、プランジャピン１３２が右側にある場合には、上下ピン１３３が下側に存在するので、シャッタ１５０は開いた状態になる。一方、プランジャピン１３２が左側に駆動された場合には、上下ピン１３３が上側に移動するので、シャッタ１５０は閉じた状態になる。
【００４６】
図７及び図８は、図２に示すカード処理装置１０のＦ矢視断面を図であり、フロント構成部１００に形成された逃げ部１０２の断面を示している。また、図７はシャッタ１５０が開いて磁気カード８を通過させる状態を示し、図８はシャッタ１５０が閉じている状態を示している。
【００４７】
図７及び図８に示すように、フロント構成部１００内には、ソレノイド１３０（図２参照）のプランジャピン１３２の動きに基づいて、シャッタ１５０の開閉動作を行うリンクプレート１３４が設けられている。また、本体構成部１１の境界面１３には、磁気カード８を搬送するフロント搬送ローラ１６ａ及びフロント従動ローラ１７ａを、フロント構成部１００の逃げ部１０２側に突出させるための開口部１５が設けられている。
【００４８】
次に、カード処理装置１０の動作について詳しく説明する。
【００４９】
利用者が、磁気カード８をカード挿入口１４に挿入すると、制御手段９８又は上位の装置が、カード幅センサ１１８から磁気カード８が挿入された旨の情報を取得し、プリヘッド１２４から磁気ストライプ６に記録されている磁気情報を取得する。
【００５０】
制御手段９８等は、取得した磁気情報に基づいて、挿入された磁気カード８が当該カード処理装置１０にて処理可能な磁気カードであるか否かの判断を行う。挿入された磁気カード８が、当該カード処理装置１０にて処理可能な磁気カードであると判断した場合には、制御手段９８がソレノイド１３０に対してシャッタ１５０を開ける方向にプランジャピン１３２を駆動する信号を出力すると共に、フロント搬送ローラ１６ａ、搬送ローラ１６ｂ、１６ｃを駆動する信号を送りドライバ８４に出力する。
【００５１】
磁気カード８が、回転しているフロント搬送ローラ１６ａ、搬送ローラ１６ｂ，１６ｃによって本体構成部１１内に搬入されると、制御手段９８は、ソレノイド１３０に対してシャッタ１５０を閉じる方向にプランジャピン１３２を駆動する信号を出力して、犯罪防止のために再度シャッタ１５０を閉じる処理を行う。
【００５２】
そして、磁気カード８を用いた現金の支払、預け入れ、振り込み等のカード処理を行った後に取り込んだ磁気カード８を利用者に返却するために、再度シャッタ１５０を開けてフロント搬送ローラ１６ａ、搬送ローラ１６ｂ，１６ｃを逆方向に回転させて、カード挿入口１４から磁気カード８の手前側後端を飛び出させた状態でフロント搬送ローラ１６ａを一時停止させ、利用者に磁気カード８の抜き取りを指示する。この磁気カード８を所定の位置に停止させる際に、制御手段９８は、磁気カード８の搬送速度を台形型速度カーブ、Ｓ字型速度カーブ等に制御して、磁気カード８の停止位置の誤差を減少させるようにしてもよい。また、磁気カード８の排出動作時に、磁気カード８に利用者の手が当たる等して停止位置がずれた場合に、その停止位置のずれを補正するための位置制御を行うようにしてもよい。また、磁気カード８の排出長さＬは、図２に示すように、磁気カード８の手前側端面からカード挿入口１４端面までの長さであるが、その排出長さＬは、用途に応じて可変にしてもよい。
【００５３】
このように、磁気カード８がカード挿入口１４から飛び出して停止している状態では、まだフロント搬送ローラ１６ａ及びフロント従動ローラ１７ａが、磁気カード８の奥側先端部分を挟持している（図２参照）ので、所定の時間が経過しても利用者が磁気カード８を抜き取らない場合には、制御手段９８等は利用者が磁気カード８を抜き忘れたと判断して、再度磁気カード８をカード処理装置１０内に搬送してシャッタ１５０を閉じ、磁気カード８を専用のスタッカに格納する。
【００５４】
本発明では、境界面１３に開口部１５を設けて、フロント従動ローラ１７ａを境界面１３からフロント構成部１００側に突出するようにしたので、カード挿入口１４とフロント従動ローラ１７ａとの間の距離を短く設定することができ、磁気カード８の排出長さＬを、磁気カード８の全長の約半分程度確保することができる（図２参照）。したがって、高齢者、手先の不自由な利用者や、ＡＴＭに慣れていない利用者であっても、磁気カード８の抜き取りを容易に行うことができるという効果を奏する。
【図面の簡単な説明】
【００５５】
【図１】本発明のカード処理装置の一例を示す平面図である。
【図２】図１に示すカード処理装置のＡ−Ａ’断面図である。
【図３】図２に示すカード処理装置の左側面図（Ｃ矢視図）である。
【図４】図２に示すカード処理装置のＤ矢視断面図である。
【図５】図２に示すカード処理装置のＥ矢視断面図であり、シャッタが開いている状態を示す図である。
【図６】図２に示すカード処理装置のＥ矢視断面図であり、シャッタが閉じている状態を示す図である。
【図７】図２に示すカード処理装置のＦ矢視断面図であり、シャッタが開いている状態を示す図である。
【図８】図２に示すカード処理装置のＦ矢視断面図であり、シャッタが閉じている状態を示す図である。
【符号の説明】
【００５６】
６  磁気ストライプ
８  磁気記録媒体
１０  カード処理装置
１１  本体構成部
１２  搬送路
１３  フロント構成部と本体構成部との境界面
１４  カード挿入口
１５  開口部
１６ａ  フロント搬送ローラ
１６ｂ，１６ｃ  搬送ローラ
１７ａ  フロント従動ローラ
１７ｃ  従動ローラ
１８  フォトセンサ
２２  磁気ヘッド
２４  プリヘッド
２６  対向ローラ
３４  送りモータ
４０  ホルダ
６２  ヘッドブラケット
６６，６８  ピン孔
７０，７２  ガイドピン
７６  押圧バネ
７８  ストロークストッパ
８４  送りドライバ
８８  ヘッドアンプ
９８  制御手段
１００  フロント構成部
１０２  逃げ部
１０５  取付フランジ
１０６  サイドフレーム
１０８  取付螺子
１１８  カード幅センサ
１２４  プリヘッド
１３０  ソレノイド
１３２  プランジャピン
１３３  上下ピン
１３４  リンクプレート
１３５  回動中心
１５０  シャッタ
１５２  スライド穴
【図１】
0004834368.tif 000002
【図２】
0004834368.tif 000003
【図３】
0004834368.tif 000004
【図４】
0004834368.tif 000005
【図５】
0004834368.tif 000006
【図６】
0004834368.tif 000007
【図７】
0004834368.tif 000008
【図８】
0004834368.tif 000009